(57)【要約】【課題】メーカー違いによりパネルサイズが異なる太陽電池パネルであっても、固定用の部材に余分な孔開け加工を行う必要がないので、固定用の部材の強度低下や美観を損なう等の懸念がなく、また、パネルサイズ別に多種類の部材を在庫する必要がない建物の屋根部への太陽電池パネルの取付構造を提供する。【解決手段】前記取付桟１を多角形からなる太陽電池パネル３の一の辺３１と直交する方向ａに延設するとともに、前記固定材２を太陽電池パネル３の前記一の辺３１に沿う方向に延設し、かつ、前記固定材２を、前記取付桟１の延設方向に沿って形成された取付部１１を介して、太陽電池パネル３の前記一の辺３１と直交する方向に移動可能となるようにして、取付桟１に取付けるようにする。【選択図】        図２
2014077291.tif 000002
【特許請求の範囲】
【請求項１】
建物の屋根部に取付けられた取付桟と、該取付桟に取付けられた固定材との間に、太陽電池パネルの側端部の表裏両面が挟持されていることを特徴とする建物の屋根部への太陽電池パネルの取付構造。
【請求項２】
前記取付桟は多角形からなる太陽電池パネルの一の辺と直交する方向に延設されるとともに、前記固定材は太陽電池パネルの前記一の辺に沿う方向に延設され、かつ、前記固定材は、前記取付桟の延設方向に沿って形成された取付部を介して、太陽電池パネルの前記一の辺と直交する方向に移動可能となるようにして、取付桟に取付けられていることを特徴とする請求項１に記載の建物の屋根部への太陽電池パネルの取付構造。
【請求項３】
前記取付桟の延設方向に沿って形成された取付部は、前記固定材を取付桟に取付けるボルトの頭部又はナットが、移動可能に挿入される蟻溝状の取付溝からなることを特徴とする請求項１又は２に記載の建物の屋根部への太陽電池パネルの取付構造。
【請求項４】
前記固定材は、太陽電池パネルの表面側に配置されて、取付桟の上面との間で太陽電池パネルの側端部の表裏両面を挟持する押え板部と、前記取付桟に取付けられて、当該固定材を取付桟に取付ける取付板部と、前記押え板部と取付板部とを連結して、前記押え板部との間で逆Ｌ字状型を形成する縦板部と、前記取付板部の先端から下方に延設された幕板部とを備えてなることを特徴とする請求項１〜３のいずれか１項に記載の建物の屋根部への太陽電池パネルの取付構造。
【発明の詳細な説明】
【技術分野】
【０００１】
本発明は、建物の屋根部への太陽電池パネルの取付構造に関するものである。
【背景技術】
【０００２】
建物の屋根部への太陽電池パネルの取付構造については、各メーカーから太陽電池パネルが発売されるに従い、種々の取付構造が提案されており、例えば、各太陽電池パネルの外周の枠が、前後２本のアングル材を介して左右の型鋼に取付け固定されており、このアングル材は、水平の辺と下向きの鉛直方向の辺とがＬ字状に曲がってなり、アングル材の水平の辺を、そのボルト孔に挿通したボルトで太陽電池パネル枠に固定してあり、その鉛直方向の辺が下向きに突出され、そして、両端の鉛直方向の辺を切除した水平部分がＨ型鋼の上面に載置され、この状態で、Ｈ型鋼の上面に開けたボルト孔と取付け辺の前記ボルト孔にボルトを挿通しナット締めし固定するものが開示されている（例えば、特許文献１）。
【先行技術文献】
【特許文献】
【０００３】
【特許文献１】特開２００５−９８０５８号公報
【発明の開示】
【発明が解決しようとする課題】
【０００４】
しかしながら、前記従来の建物の屋根部への太陽電池パネルの取付構造については、アングル材の水平の辺に形成されたボルト孔と太陽電池パネル枠に形成された孔とをボルトで固定する構造であるが、各メーカーが製造・販売する太陽電池パネルは、その縦方向の長さ、横方向の長さ、及び厚みと言ったパネルサイズが少なからず異なっているため、メーカー毎に、アングル材に形成するボルト孔位置を変更する必要があり、かなり手間を要するものであった。
【０００５】
本発明は、前記の如き問題点を解消し、メーカー違いによりパネルサイズが異なる太陽電池パネルであっても、固定用の部材に余分な孔開け加工を行う必要がないので、固定用の部材の強度低下や美観を損なう等の懸念がなく、また、パネルサイズ別に多種類の部材を在庫する必要がない建物の屋根部への太陽電池パネルの取付構造を提供せんとするものである。
【課題を解決するための手段】
【０００６】
上記目的を達成するために、本発明は次のような構成としている。
すなわち本発明に係る建物の屋根部への太陽電池パネルの取付構造は、建物の屋根部に取付けられた取付桟と、該取付桟に取付けられた固定材との間に、太陽電池パネルの側端部の表裏両面が挟持されていることを特徴とするものである。
【０００７】
また本発明に係る建物の屋根部への太陽電池パネルの取付構造は、前記取付桟は多角形からなる太陽電池パネルの一の辺と直交する方向に延設されるとともに、前記固定材は太陽電池パネルの前記一の辺に沿う方向に延設され、かつ、前記固定材は、前記取付桟の延設方向に沿って形成された取付部を介して、太陽電池パネルの前記一の辺と直交する方向に移動可能となるようにして、取付桟に取付けられていることを特徴とするものである。
【０００８】
また本発明に係る建物の屋根部への太陽電池パネルの取付構造は、前記取付桟の延設方向に沿って形成された取付部は、前記固定材を取付桟に取付けるボルトの頭部又はナットが、移動可能に挿入される蟻溝状の取付溝からなることを特徴とするものである。
【０００９】
また本発明に係る建物の屋根部への太陽電池パネルの取付構造は、前記固定材は、太陽電池パネルの表面側に配置されて、取付桟の上面との間で太陽電池パネルの側端部の表裏両面を挟持する押え板部と、前記取付桟に取付けられて、当該固定材を取付桟に取付ける取付板部と、前記押え板部と取付板部とを連結して、前記押え板部との間で逆Ｌ字状型を形成する縦板部と、前記取付板部の先端から下方に延設された幕板部とを備えてなることを特徴とするものである。
【発明の効果】
【００１０】
本発明に係る建物の屋根部への太陽電池パネルの取付構造によれば、建物の屋根部に取付けた取付桟と、該取付桟に取付けた固定材との間に、太陽電池パネルの側端部の表裏両面を挟持するようにしているので、メーカー違いによりパネルサイズが異なる太陽電池パネルであっても、孔開け加工などを行う必要がなく、固定用の部材の強度低下や美観を損なう等の懸念がなく、また、パネルサイズ別に多種類の部材を在庫する必要がない。
【００１１】
また本発明に係る建物の屋根部への太陽電池パネルの取付構造によれば、前記取付桟は多角形からなる太陽電池パネルの一の辺と直交する方向に延設するとともに、前記固定材は太陽電池パネルの前記一の辺に沿う方向に延設し、かつ、前記固定材は、前記取付桟の延設方向に沿って形成された取付部を介して、太陽電池パネルの前記一の辺と直交する方向に移動可能となるようにして、取付桟に取付けるようにしているので、メーカー違いによりパネルの縦方向の長さ、横方向の長さが異なる太陽電池パネルであっても、固定材を取付桟の取付部を介して移動させ、確実に固定することができる。
【００１２】
また本発明に係る建物の屋根部への太陽電池パネルの取付構造によれば、前記取付桟の延設方向に沿って形成した取付部は、前記固定材を取付桟に取付けるボルトの頭部又はナットが、移動可能に挿入される蟻溝状の取付溝からなるようにしているので、メーカー違いによりパネルの縦方向の長さ、横方向の長さが異なる太陽電池パネルであっても、取付溝内をボルトの頭部又はナットを移動させ、確実に固定することができる。
【００１３】
また本発明に係る建物の屋根部への太陽電池パネルの取付構造によれば、前記固定材は、太陽電池パネルの表面側に配置されて、取付桟の上面との間で太陽電池パネルの側端部の表裏両面を挟持する押え板部と、前記取付桟に取付けられて、当該固定材を取付桟に取付ける取付板部と、前記押え板部と取付板部とを連結して、前記押え板部との間で逆Ｌ字状型を形成する縦板部と、前記取付板部の先端から下方に延設された幕板部とを備えているので、メーカー違いによりパネルの厚みが異なる太陽電池パネルであっても、押え板部で太陽電池パネルの上面を押え、取付板部が取付桟に取付けられて、太陽電池パネルを確実に固定することができる。
【図面の簡単な説明】
【００１４】
【図１】本発明に係る建物の屋根部への太陽電池パネルの取付構造を備えた建物の一実施形態である。
【図２】図１の屋根部の側面図である。
【図３】図２の部分省略の拡大図である。
【図４】図２の部分省略の正面図である。
【図５】図２の太陽電池パネルの厚みが異なる実施形態の説明図である。
【図６】図２の太陽電池パネルの厚みが異なる別の実施形態の説明図である。
【発明を実施するための形態】
【００１５】
次に、本発明を実施するための形態について図面を参照し、具体的に説明する。
図面において、１は建物Ｔの屋根部Ｙに取付けられた取付桟、２は取付桟１に取付けられた固定材、３は取付桟１と固定材２との間に、その側端部の表裏両面が挟持されている四角形状の太陽電池パネル、４は固定材２を取付桟１に取付けるボルトである。
【００１６】
本実施形態において、建物Ｔはバスの停留所として用いられるものであり、設置面に立設された４本の支柱Ｔ１の上端に屋根部Ｙが固定されると共に、４本の支柱Ｔ１間には、風や雨が建物Ｔ内に入らないように、側面板Ｔ２が取付けられ、その一部が横方向にスライドし、建物Ｔの中に出入りできるようになされている。また、屋根部Ｙは、連設された折半状の屋根板Ｙ１と、その前後端において左右方向（後記する方向Ｂ）に設けられた軒樋Ｙ２とを備えている。そして、前記屋根部Ｙの上面側に太陽電池パネル３が取付けられている。
【００１７】
前記軒樋Ｙ２は、外側に設けられた鼻隠しとしても機能する断面が略直角三角形状の外壁部Ｙ２１と、該外壁部Ｙ２１の内方に相対向して設けられた外壁部Ｙ２１より背の低い内壁部Ｙ２２との間に、雨水を流すための上方に開口する溝状の樋部Ｙ２３が設けられたものであって、該樋部Ｙ２３の底板部Ｙ２４において前記支柱Ｔ１に支持されているとともに、前記内壁部Ｙ２２の上端面Ｙ２５に屋根板Ｙ１の側端部Ｙ１１が支持されて、屋根板Ｙ１からの雨水が樋部Ｙ２３に流れ込むようになされている。
【００１８】
前記取付桟１は、前記軒樋Ｙ２の外壁部Ｙ２１の内側面上部から樋部Ｙ２３の方向に突出した受片Ｙ２６にその端部がタッピングビス等で固定されて、太陽電池パネル３の四辺の左右方向に延びる一の辺３１と直交する方向Ａ、すなわち本形態では太陽電池パネル３の四辺の前後方向に延びる辺に沿って延設されている。
【００１９】
また、前記固定材２は、太陽電池パネル３の前記左右方向に延びる一の辺３１に沿う方向Ｂに延設され、かつ、前記取付桟１の延設方向に沿ってその上面全長に亘って形成された取付部１１を介して、太陽電池パネル３の前記一の辺３１と直交する方向Ａに移動可能となるようにして、取付桟１に取付けられている。
【００２０】
本実施形態においては、前記取付桟１の延設方向に沿って形成された取付部１１は、前記固定材２を取付桟１に取付ける後記のボルト４の頭部が、移動可能に挿入される蟻溝状の取付溝１２から形成されている。
【００２１】
前記固定材２は、太陽電池パネル３の表面側に配置されて、取付桟１の上面との間で太陽電池パネル３の側端部の表裏両面を挟持する押え板部２１と、取付桟１の取付部１１に頭部が移動可能に挿入されたボルト４を介して、前記取付桟１に取付けられて、当該固定材２を取付桟１に取付ける取付板部２２と、前記押え板部２１と取付板部２２とを連結して、前記押え板部２１との間で逆Ｌ字状型を形成する縦板部２３と、前記取付板部２２の先端から下方に延設されて、好ましくは太陽電池パネル３の前記左右方向に延びる一の辺３１を隠す幕板部２４とを備えている。
【００２２】
この様な構造にしているため、メーカー違いにより太陽電池パネルの縦方向の長さ、横方向の長さが異なる太陽電池パネルであっても、当該太陽電池パネルの大きさに応じて、取付溝１２内をボルト４の頭部を移動させて、取付桟１を取付ける太陽電池パネル３の一の辺３１に対して、この一の辺３１と直交する方向Ａに移動させることにより、任意の大きさの太陽電池パネル３を確実に固定することができる。
【００２３】
また、図５に示すように、太陽電池パネルの厚みが、固定材２の天地の寸法、すなわち押え板部２１の下面から幕板部２４の下端までの寸法より薄い場合には、固定材２がやや斜めにはなるものの、固定材２の押え板部２１の下面で太陽電池パネル３の上面が押えられて、太陽電池パネル３を確実に固定でき、図６に示すように、太陽電池パネルが固定材２の天地の寸法より厚い場合には、幕板部２４の下端が取付桟１の上面から離れるものの、固定材２の押え板部２１の下面で太陽電池パネル３の上面が押えられて、太陽電池パネル３を確実に固定することができ、太陽電池パネルの厚みが異なっていても、同一種類の固定材２を用いて、建物の屋根部Ｙに太陽電池パネル３を取付けることができる。
【００２４】
なお、上記形態では、屋根部Ｙに取付けられる太陽電池パネル３は、四角形状のものが１枚であったが、上記形態と同様にして、複数枚が取付けられてもよく、また太陽電池パネル３は、四角形状以外の多角形状であってもよく、また、上記形態では、取付桟１が前後方向（方向Ａ）に延設されているが、左右方向（方向Ｂ）に延設され、そしてこれと直交する方向の辺（方向Ａに沿う辺）に沿って、前記取付桟１に固定材２を取付けるようになされてもよく、本発明の要旨を逸脱しない範囲において種々の変更を施した形態での実施が可能である。
【符号の説明】
【００２５】
１      取付桟
１１    取付部
１２    取付溝
２      固定材
２１    押え板部
２２    取付板部
２３    縦板部
２４    幕板部
３      太陽電池パネル
３１    一の辺
４      ボルト
Ｔ      建物
Ｙ      屋根部
【図１】
2014077291.tif 000003
【図２】
2014077291.tif 000004
【図３】
2014077291.tif 000005
【図４】
2014077291.tif 000006
【図５】
2014077291.tif 000007
【図６】
2014077291.tif 000008